(57)【要約】【課題】自動料金徴収車載器は全車搭載を目標にし、ドライバーの殆どが常時携帯している携帯端末に自動料金徴収車載器の機能を付加する研究開発を進めて来たが、路側器の使用電波５．８ＧＨｚと携帯端末の使用電波の相違が決定的障害になって開発は成功しなかった。【解決手段】在来の自動料金徴収車載器の特徴であった車載器による決済方法を避け、携帯端末に取り付けたＩＣタグに路側器の料金情報を受信させ、組み込んだプログラムによりその情報を自動的に知り、読み取って電子メール用の情報に転換し、インターネット上の通信会社専用のメールサーバーへ転送できるようにした。そのことによって、通信会社が料金を徴収して公団へ一括して支払う新なシステム作りへの道を拓いた。【選択図】          図１
2004178131.tif 000002
【特許請求の範囲】
【請求項１】
路側アンテナと５．８ＧＨｚの電波を受信し料金情報を受信してメモリーに記録できるＩＣタグを携帯端末に取り付け、そのＩＣタグをの料金情報を自動的に知るプログラムと、その情報を読み取って電子メール用の情報に変換するプログラムと、インターネット上の通信会社専用のメールサーバーへ転送するプログラムを組み込んだ自動料金徴収車載器で、路側アンテナからの料金情報に基づいてクレジットカードで決済する在来の方法を採らず、料金情報をそのままメールサーバーへ転送することを特徴とする「ＩＣタグ付き携帯端末の自動料金徴収車載器」。
【請求項２】
ＩＣタグの受信した情報を読み取って電子メール用の情報に変換するプログラムと、インターネット上へ転送するプログラムが携帯端末固有のプログラムと重なり融合されるタイプの請求項１に記載の「ＩＣタグ付き携帯端末の自動料金徴収車載器」。
【請求項３】
指向性の強い５．８ＧＨｚの電波で交信するＩＣタグが路側アンテナと適正な位置に相対できるように、ベースとなる脚部の上面が水平から７°〜１３°の範囲で奥の方を低くするためダッシュボードの奥の方へ下がる傾斜角度に合わせて脚部両側面の前後の高さを決めて傾斜させた選択可能な複数のパターンと、脚部の両側面先端部から内側に薄くなって折れ込む単一のパターンのシート状の部分により、多様なダッシュボード上面の形状に柔軟に沿う脚部と、据え付け装置の台部の内側を携帯端末と密着する形状にし、ばねの力で押え付けて確保する台部、または、台部底面に設けた充電装置と挿入栓と台部両側面の脱落防止装置によりなる台部によって構成される請求項１に記載の「ＩＣタグ付き携帯端末の自動料金徴収車載器の据え付け装置」。
【発明の詳細な説明】
【０００１】
【発明の属する技術分野】
本発明は、携帯端末の電子メール機能とＩＣタグの機能を一体化した自動料金徴収車載器で、路側アンテナと交信して車両情報を確認させ、路側アンテナの利用区間に応じた料金情報をＩＣタグで受信し、インターネット上のメールサーバーへ転送するタイプのもの。
【０００２】
【従来の技術】
従来の車載器は狭域通信技術をベースにしたもので、路側アンテナと交信して車両情報を読み取らせ、利用区間に応じた料金情報を受信し、クレジットカードで決済していた。
【０００３】
【特許文献１】
特開２００２−２６９６０４
【０００４】
【発明が解決しようとする課題】
自動料金徴収車載器は全車が搭載することによって効果を発揮するものであり、普及は１００パーセントを目標にしなければならない。
【０００５】
携帯端末を使う場合、使用電波が路側アンテナの使用電波と相違するためクレジットカードによる料金決済は不可能であった。
【０００６】
路側アンテナの使用電波は指向性が強いので車載器は路側アンテナと相対できる位置と角度を最適の状態に確保しなければならない。
【０００７】
車載器が据え付け装置にほぼワンタッチで据え付けられる簡便なもので、しかも安定的に確保されるものでなければならない。
【０００８】
【課題を解決するための手段】
高価な車載器を購入することも、いつ使うかわからない車載器を常時据え付けておくこともユーザーには不本意なことで、それが普及を阻む原因になっていた。そこで、誰もが常時携帯している携帯端末にＩＣタグを取り付けた新しい自動料金徴収車載器を開発した。
【０００９】
ＩＣタグで路側アンテナからの料金情報を受信し、電子メールでメールサーバーへ転送できる自動料金徴収車載器を開発することによって、通信会社が料金を徴収し一括して公団に支払う新なシステム作りへの道を拓いた。
【００１０】
ダッシュボード上の形状に合わせて自在に適正な位置と角度を確保できる脚部を持つ据え付け装置を用いる。
【００１１】
車載器を右側へ押して左側へスライドするだけで据え付けられるダブルストッパー方式の台部か、または、据え付け装置台部の内側と携帯端末が密着する形状にし、ばねの力で押えて確保する方式の台部を持つ据え付け装置を採用する。
【００１２】
【発明の実施の形態】
ＩＣタグが料金情報を受信すると、ＩＣタグの受信を自動的に知るプログラムが作動し、次に、ＩＣタグから情報を読み取って電子メール用の情報に変換するプログラムが作動し、最後にメールサーバーへ転送するプログラムが作動する。図１はその状態をあらわすもので携帯端末固有のプログラムから独立したものである。
【００１３】
ＩＣタグが料金情報を受信すると、情報の受信を自動的に知るプログラムが作動し、その次のデータの読み取り・変換と転送のプログラムは携帯端末固有のプログラムと重なり融合される。図２はその状態をあらわしたものである。
【００１４】
【実施例】
ＩＣタグは電源回路を持つ。
【００１５】
ＩＣタグのメモリーで車両情報を登録してセットアップする。
【００１６】
ＩＣタグは路側アンテナから受信した料金情報を記録するメモリーを持つ。
【００１７】
ＩＣタグの車両情報を路側アンテナが読み取って確認し、ＩＣタグは利用区間に応じた料金情報を受信する。
【００１８】
【発明の効果】
ドライバーの殆どが常時携帯している携帯端末にＩＣタグを取り付け、複数のプログラムを組み込んだ車載器の開発によって、通信会社が料金を徴収し一括して公社に支払う新なシステム作りへの道が拓かれ、更に、これまでの料金所ゲートの装置も使用電波もそのまま使えることから在来の車載器と共生を続けながら全車への普及を推進することができる。
【図面の簡単な説明】
【図１】プログラムが独立している状態を示す平面配置図である。
【図２】プログラムが一部融合された状態を示す平面配置図である。
【図３】据え付け装置台部の構造を示す斜視図Ａである。
【図４】据え付け装置台部の構造を示す斜視図Ｂである。
【図５】ダッシュボードの曲面と取り付けられた脚部との関係を示す断面図である。
【図６】水平のダッシュボードに取り付けた脚部側面の傾斜を示す側面図である。
【図７】５°傾斜のダッシュボードに取り付けた脚部側面の傾斜を示す側面図である。
【図８】１０°傾斜のダッシュボードに取り付けた脚部側面の傾斜を示す側面図である。
【符号の説明】
１  ＩＣタグ
２  ＩＣタグのアンテナ部
３  ＩＣタグのメモリー
４  情報の受信を知るプログラム
５  データを読み取り変換するプログラム
６  転送するプログラム
７  携帯端末固有のプログラム
８  携帯端末のアンテナ
９  電源
１０  台部の底面
１１  台部の側面
１２  台部の前面
１３  ちょうばん式接続部
１４  取手
１５  ばね
１６  ゴム層
１７  茸形の栓
１８  挿入栓
１９  脱落防止装置の凸部
２０  ばね式押し出し具
２１  脚部
２２  脚部の側面
２３  脚部の上面
２４  脚部側面の先端部
２５  シート状の部分
２６  両面テープ
２７  弓形の高さ
２８  弓形
２９  弧
３０  弦
３１  ダッシュボード面
３２  台部の側面
３３  脚部の側面
【図１】
2004178131.tif 000003
【図２】
2004178131.tif 000004
【図３】
2004178131.tif 000005
【図４】
2004178131.tif 000006
【図５】
2004178131.tif 000007
【図６】
2004178131.tif 000008
【図７】
2004178131.tif 000009
【図８】
2004178131.tif 000010